【手続補正書】
【提出日】平成17年8月10日(2005.8.10)
【手続補正１】
【補正対象書類名】明細書
【補正対象項目名】特許請求の範囲
【補正方法】変更
【補正の内容】
【特許請求の範囲】
【請求項１】  複数の物品を収容したケースをケース単位で保管するとともに、該ケースをケース単位で取出し可能とするケース単位保管部と、
物品を１個単位で保管するとともに、該物品を１個単位で取出し可能とするバラ単位保管部とを有し、
ケース単位保管部とバラ単位保管部からそれらの物品を出荷するピッキング方法において、
同一品種物品について、バラ単位保管部の在庫数ＰＰの方が出荷総数ＯＰより多いときには、バラ単位保管部の中から必要数ＯＰの物品を出荷し、
バラ単位保管部の在庫数ＰＰの方が出荷総数ＯＰより少ないときには、バラ単位保管部の在庫数ＰＰの物品の全数を出荷し、不足数（ＯＰ−ＰＰ）をケース単位数に切上げ算出し、算出したケース数分のケースをケース単位保管部から取出してこのケース内から該不足数（ＯＰ−ＰＰ）の物品を出荷可能にするとともに、余剰物品をバラ単位保管部へと入荷することを特徴とするピッキング方法。
【請求項２】  前記同一品種物品について、バラ単位保管部の在庫数ＰＰの方が出荷総数ＯＰより多いときに、バラ単位保管部から在庫数ＰＰの物品の全数を取出し、この中から必要数ＯＰの物品を出荷し、この出荷後の余剰物品をバラ単位保管部へと返却する請求項１に記載のピッキング方法。
【請求項３】  複数の物品を収容したケースをケース単位で保管するとともに、該ケースをケース単位で取出し可能とするケース単位保管部と、
物品を１個単位で保管するとともに、該物品を１個単位で取出し可能とするバラ単位保管部と、
ケース単位保管部とバラ単位保管部から出荷される物品を受入れ、それらの物品を複数の分岐荷揃えラインへ仕分ける仕分け搬送ラインとを有し、
制御コンピュータが、出荷計画データに基づき、ケース単位保管部とバラ単位保管部とを制御し、ケース単位保管部とバラ単位保管部からそれらの物品を仕分け搬送ラインへと出荷するピッキング装置において、
制御コンピュータは、
同一品種物品について、バラ単位保管部の在庫数ＰＰの方が出荷総数ＯＰより多いときには、バラ単位保管部の中から必要数ＯＰの物品を出荷し、
バラ単位保管部の在庫数ＰＰの方が出荷総数ＯＰより少ないときには、バラ単位保管部の在庫数ＰＰの物品の全数を出荷し、不足数（ＯＰ−ＰＰ）をケース単位数に切上げ算出し、算出したケース数分のケースをケース単位保管部から取出してこのケース内から該不足数（ＯＰ−ＰＰ）の物品を出荷可能にするとともに、余剰物品をバラ単位保管部へと入荷することを特徴とするピッキング装置。
【請求項４】  前記制御コンピュータが、前記同一品種物品について、バラ単位保管部の在庫数ＰＰの方が出荷総数ＯＰより多いときに、バラ単位保管部から在庫数ＰＰの物品の全数を取出し、この中から必要数ＯＰの物品を出荷し、この出荷後の余剰物品をバラ単位保管部へと返却する請求項３に記載のピッキング装置。
【手続補正２】
【補正対象書類名】明細書
【補正対象項目名】００１２
【補正方法】変更
【補正の内容】
【００１２】
【課題を解決するための手段】
請求項１の発明は、複数の物品を収容したケースをケース単位で保管するとともに、該ケースをケース単位で取出し可能とするケース単位保管部と、物品を１個単位で保管するとともに、該物品を１個単位で取出し可能とするバラ単位保管部とを有し、ケース単位保管部とバラ単位保管部からそれらの物品を出荷するピッキング方法において、同一品種物品について、バラ単位保管部の在庫数ＰＰの方が出荷総数ＯＰより多いときには、バラ単位保管部の中から必要数ＯＰの物品を出荷し、バラ単位保管部の在庫数ＰＰの方が出荷総数ＯＰより少ないときには、バラ単位保管部の在庫数ＰＰの物品の全数を出荷し、不足数（ＯＰ−ＰＰ）をケース単位数に切上げ算出し、算出したケース数分のケースをケース単位保管部から取出してこのケース内から該不足数（ＯＰ−ＰＰ）の物品を出荷可能にするとともに、余剰物品をバラ単位保管部へと入荷するようにしたものである。
【手続補正３】
【補正対象書類名】明細書
【補正対象項目名】００１４
【補正方法】変更
【補正の内容】
【００１４】
請求項３の発明は、複数の物品を収容したケースをケース単位で保管するとともに、該ケースをケース単位で取出し可能とするケース単位保管部と、物品を１個単位で保管するとともに、該物品を１個単位で取出し可能とするバラ単位保管部と、ケース単位保管部とバラ単位保管部から出荷される物品を受入れ、それらの物品を複数の分岐荷揃えラインへ仕分ける仕分け搬送ラインとを有し、制御コンピュータが、出荷計画データに基づき、ケース単位保管部とバラ単位保管部とを制御し、ケース単位保管部とバラ単位保管部からそれらの物品を仕分け搬送ラインへと出荷するピッキング装置において、制御コンピュータは、同一品種物品について、バラ単位保管部の在庫数ＰＰの方が出荷総数ＯＰより多いときには、バラ単位保管部の中から必要数ＯＰの物品を出荷し、バラ単位保管部の在庫数ＰＰの方が出荷総数ＯＰより少ないときには、バラ単位保管部の在庫数ＰＰの物品の全数を出荷し、不足数（ＯＰ−ＰＰ）をケース単位数に切上げ算出し、算出したケース数分のケースをケース単位保管部から取出してこのケース内から該不足数（ＯＰ−ＰＰ）の物品を出荷可能にするとともに、余剰物品をバラ単位保管部へと入荷するようにしたものである。
【手続補正４】
【補正対象書類名】明細書
【補正対象項目名】００１６
【補正方法】変更
【補正の内容】
【００１６】
【作用】
請求項１、３の発明によれば下記(1)〜(5)の作用がある。
(1)バラ単位保管部の在庫数ＰＰがゼロの場合には、バラ単位保管部の中からの物品の出荷は当初から考慮されず、ケース単位保管部から出荷される。従って、バラ単位保管部に予め在庫を確保しておく必要がなく、取扱い性が良い。
【手続補正５】
【補正対象書類名】明細書
【補正対象項目名】００１７
【補正方法】変更
【補正の内容】
【００１７】
(2)ケース単位保管部から取出した物品の余剰物品をバラ単位保管部へと入荷するときには、バラ単位保管部の在庫が全数を出荷されていて空になるから、その余剰物品のバラ単位保管部への受入れスペースの有無をその都度確認する必要がなく、取扱い性が良い。
【手続補正６】
【補正対象書類名】明細書
【補正対象項目名】００１８
【補正方法】変更
【補正の内容】
【００１８】
(3)バラ単位保管部の在庫数ＰＰの方が出荷総数ＯＰより少ないとき、バラ単位保管部の在庫数ＰＰの全数を出荷するから、バラ単位保管部からの出荷数を計数する必要がなく、迅速簡易に出荷できる。また、ケース単位保管部からケース単位でケースを取出すから、この場合にもケース単位保管部からの取出数を計数する必要がなく、迅速簡易に取出しできる。
【手続補正７】
【補正対象書類名】明細書
【補正対象項目名】００１９
【補正方法】変更
【補正の内容】
【００１９】
(4)ケース単位保管部から取出したケース内の物品のうちの余剰分をバラ単位保管部へ入荷するものであるから、その余剰分を仮保管するオーバーフローエリア等をケース単位保管部に付帯する必要がなく、またオーバーフローエリアに仮保管した余剰物品を後処理する必要もなく、取扱い性が良い。
【手続補正８】
【補正対象書類名】明細書
【補正対象項目名】００２０
【補正方法】変更
【補正の内容】
【００２０】
(5)同一品種物品について、バラ単位保管部の在庫数ＰＰの方が出荷総数ＯＰより少ないときには、バラ単位保管部とケース単位保管部の両方から出荷されるが、バラ単位保管部の在庫数ＰＰが必ず全数出荷されるから、物品の先入れ／先出しが保証される。
【手続補正９】
【補正対象書類名】明細書
【補正対象項目名】００２１
【補正方法】変更
【補正の内容】
【００２１】
請求項２、４の発明によれば下記(6)〜(8)の作用がある。
(6)同一品種物品について、バラ単位保管部の在庫数ＰＰの方が出荷総数ＯＰより多いときには、バラ単位保管部から必要数ＯＰを取出して出荷することもできるが、バラ単位保管部から在庫数ＰＰの全数を取出し、この中から必要数ＯＰを出荷し、この出荷後の余剰物品をバラ単位保管部へと返却するものとすることにより、バラ単位保管部からの取出時にその取出数を計数する必要がなく、迅速簡易に取出しできる。
【手続補正１０】
【補正対象書類名】明細書
【補正対象項目名】００２２
【補正方法】変更
【補正の内容】
【００２２】
(7)また、出荷頻度の低い品種物品（Ｃ管理品）については、バラ単位保管部から一旦全数取出すことにより、その後、余剰分の保管ゾーンをＣ管理品用の新ゾーンへと変更することにより、当該品種物品の保管ゾーンを変更し易い。
【手続補正１１】
【補正対象書類名】明細書
【補正対象項目名】００２３
【補正方法】変更
【補正の内容】
【００２３】
(8)また、バラ単位保管部から在庫数ＰＰの全数を取出すことにより、バラ単位保管部において折畳みコンテナ、プラスチックコンテナ、又はケース等に収容されているバラ物品を必要数だけ小出しする必要がなく、それらの折畳みコンテナ、プラスチックコンテナ、又はケース等毎一括して取出し、返却でき、取扱い性が良い。